(57)【要約】  本開示は、開構成と閉構成との間を操作可能な弁アセンブリを含む呼吸保護装置を提供する。いくつかの例示的な実施形態では、呼吸保護装置は弾性シールを含み、弁アセンブリ及び呼吸用空気源構成要素は、弁アセンブリが閉構成になっている時には、弾性シールと密封係合している。
2019516429.tif 000002
【特許請求の範囲】
【請求項１】
着用者のための呼吸可能空気領域を画定するマスク本体と、
第１の弾性シールと、
前記第１の弾性シールと密封係合した前記マスク本体に取り付けられるように構成された第１の呼吸用空気源構成要素と、
開構成と前記第１の呼吸用空気源構成要素を通した前記呼吸可能空気領域への流体連通が阻止される閉構成との間を操作可能な弁アセンブリと、
を備え、
前記弁アセンブリは前記閉構成において前記第１の弾性シールと密封係合している、呼吸保護装置。
【請求項２】
前記弁アセンブリがアクチュエータ及び第１のシール面を含み、前記第１のシール面は、前記弁アセンブリが前記閉構成になっている時には、前記第１の弾性シールと密封係合している、請求項１に記載の呼吸保護装置。
【請求項３】
前記アクチュエータが、前記開構成と前記閉構成との間で長手方向軸に沿って直線運動するように構成されている、請求項２に記載の呼吸保護装置。
【請求項４】
前記シール面が、前記開構成と前記閉構成との間で直線運動するように構成されている、請求項２に記載の呼吸保護装置。
【請求項５】
前記シール面が、前記開構成と前記閉構成との間で枢動するように構成されている、請求項２に記載の呼吸保護装置。
【請求項６】
前記シール面が、前記弁アセンブリが前記閉構成になっている時には前記弾性シールの内部に向かって延びる突起を含む、請求項２に記載の呼吸保護装置。
【請求項７】
前記弾性シールが、第１の端部領域及び第２の端部領域、外面、並びに前記第１の呼吸用空気源構成要素を受け入れるように構成された通路を画定する内面を含む、請求項１に記載の呼吸保護装置。
【請求項８】
前記呼吸用空気源構成要素が、前記マスク本体に取り付けられると、前記弾性シールの前記内面と密封係合している、請求項７に記載の呼吸保護装置。
【請求項９】
前記弾性シールの前記外面の少なくとも一部分が、前記弁アセンブリが前記開構成になっている時には、硬質な構成要素と接触していない、請求項７に記載の呼吸保護装置。
【請求項１０】
前記弾性シールの前記第２の端部領域が、浮動型の端部である、請求項７に記載の呼吸保護装置。
【請求項１１】
前記弁アセンブリの第１のシール面が、前記弁アセンブリが前記閉構成になっている時には、前記弾性シールの前記第２の端部領域と密封係合している、請求項７に記載の呼吸保護装置。
【請求項１２】
前記弾性シールの前記第２の端部領域が、内向きに曲がった端部を含む、請求項１１に記載の呼吸保護装置。
【請求項１３】
前記閉構成において、前記弁アセンブリの前記第１のシール面が、前記内向きに曲がった端部において前記外面と接触している、請求項１１に記載の呼吸保護装置。
【請求項１４】
前記閉構成において、前記弾性シールの前記第２の端部領域が前記弁アセンブリの第１のシール面によって締め付けられて閉じている、請求項７に記載の呼吸保護装置。
【請求項１５】
前記弾性シールが前記第２の端部領域において、減少した材料厚さを有し、前記第２の端部領域が、空気が前記第１の端部領域から前記第２の端部領域に向かって流れる際には、開放するように構成されており、前記第２の端部領域から前記第１の端部領域へ向かう空気流を阻止するために、閉鎖するように構成されている、請求項７に記載の呼吸保護装置。
【請求項１６】
前記マスク本体に取り付けられるように構成された第２の呼吸用空気源構成要素を備える、請求項１に記載の呼吸保護装置。
【請求項１７】
第２の弾性シールと、前記マスク本体に取り付けられるように構成された第２の呼吸用空気源構成要素とを備え、前記第２の呼吸用空気源構成要素は、前記マスク本体に取り付けられると、前記第２の弾性シールと密封係合しており、前記弁アセンブリが前記閉構成において前記第２の弾性シールと密封係合している、請求項１６に記載の呼吸保護装置。
【請求項１８】
着用者のための呼吸可能空気領域を画定し、第１の受け部を有するマスク本体であって、前記第１の受け部は、第１の端部領域及び第２の端部領域を有し、第１の呼吸用空気源構成要素を少なくとも部分的に受け入れるように構成された第１の通路を画定する第１の弾性シールを含む、マスク本体と、
開構成と、前記第１の呼吸用空気源構成要素と前記呼吸可能空気領域との間の流体連通が遮断される閉構成との間を操作可能な弁アセンブリと、
を備え、
前記弁アセンブリは、前記弁アセンブリが、前記呼吸用空気源構成要素と前記呼吸可能空気領域との間の流体連通を阻止するための前記閉鎖位置にある時には、前記弾性シールの前記第２の端部領域と係合しており、前記弾性シールは、前記弾性シールの前記第１の端部領域において前記呼吸用空気源構成要素と密封係合するように構成されている、呼吸保護装置。
【請求項１９】
前記第１の受け部が前記マスク本体と一体形成されている、請求項１８に記載の呼吸保護装置。
【請求項２０】
前記第１の受け部が、前記マスク本体によって画定された開口部内に位置している、請求項１８に記載の呼吸保護装置。
【請求項２１】
前記弾性シールの前記第２の端部領域が、内向きに曲がった端部を含む、請求項１８に記載の呼吸保護装置。
【請求項２２】
前記弾性シールが、前記弾性シールを貫く前記通路を画定する内面、及び外面を含む、請求項１８に記載の呼吸保護装置。
【請求項２３】
前記外面が、前記弁アセンブリが前記開放位置にある時には、硬質な構成要素と接触していない、請求項２２に記載の呼吸保護装置。
【請求項２４】
前記第２の端部領域が、浮動型の端部である、請求項２２に記載の呼吸保護装置。
【請求項２５】
前記弁アセンブリが前記閉構成において前記弾性シールの前記外面の一部分と係合している、請求項２２に記載の呼吸保護装置。
【請求項２６】
前記マスク本体が第２の受け部を含み、前記第２の受け部は、第１の端部領域及び第２の端部領域を有し、第２の呼吸用空気源構成要素を受け入れるように構成された第２の通路を画定する第２の弾性シールを含む、請求項１８に記載の呼吸保護装置。
【請求項２７】
前記弁アセンブリが、前記第２の呼吸用空気源構成要素と前記呼吸可能空気領域との間の流体連通を阻止するための前記閉鎖位置にある時には、前記第２の弾性シールの前記第２の端部領域と係合しており、前記弾性シールが、前記弾性シールの前記第１の端部領域において前記第２の呼吸用空気源構成要素と密封係合するように構成されている、請求項２６に記載の呼吸保護装置。
【請求項２８】
前記弁アセンブリが前記開構成の方へ付勢されている、請求項１８に記載の呼吸保護装置。
【請求項２９】
前記アクチュエータがボタンを含み、前記ボタンは、前記弁アセンブリが前記閉構成になっている時には、押下されている、請求項１８に記載の呼吸保護装置。
【請求項３０】
呼吸保護装置を操作する方法であって、
弁アセンブリを、マスク本体に取り付けられた呼吸用空気源構成要素が弾性シールと密封係合し、前記マスク本体によって画定された呼吸可能空気領域と流体連通している、開構成から、前記呼吸用空気源構成要素を通した流体連通が閉鎖されている閉構成へ操作する工程を含み、
前記弁アセンブリを閉構成へ操作することが前記弁アセンブリと前記弾性シールとの間の密封係合を生じさせる、方法。
【請求項３１】
前記弁アセンブリが、前記閉構成において前記弾性シールと係合するシール面を含む、請求項３０に記載の方法。
【請求項３２】
前記弁アセンブリを閉構成へ操作することが、前記弾性シールによって画定された通路を通した空気流を阻止するよう、前記弾性シールの端部領域を締め付けることを含む、請求項３０に記載の方法。
【請求項３３】
着用者のための呼吸可能空気領域を画定し、第１の受け部を有するマスク本体であって、前記第１の受け部は、第１の端部領域及び第２の端部領域を有し、第１の呼吸用空気源構成要素を少なくとも部分的に受け入れるように構成された第１の通路を画定する第１の弾性シールを含む、マスク本体を備え、
前記弾性シールは、前記弾性シールの前記第１の端部領域において前記呼吸用空気源構成要素と密封係合するように構成されており、前記第２の端部領域は、前記第２の端部領域から前記第１の端部領域へ向かう空気流を阻止するために、閉鎖するように構成されている、呼吸保護装置。
【請求項３４】
前記弾性シールが、空気が前記第１の端部領域から前記第２の端部領域へ流れる際には、開放するように構成されている、請求項３３に記載の呼吸保護装置。
【請求項３５】
前記弾性シールの前記第２の端部領域が、減少した材料厚さを有する、請求項３３に記載の呼吸保護装置。
【請求項３６】
開構成と、前記第１の呼吸用空気源構成要素と前記呼吸可能空気領域との間の流体連通が遮断される閉構成との間を操作可能な弁アセンブリを備える、請求項３３に記載の呼吸保護装置。
【請求項３７】
前記弁アセンブリが、前記呼吸用空気源構成要素と前記呼吸可能空気領域との間の流体連通を阻止するための前記閉鎖位置にある時には、前記弾性シールの前記第２の端部領域と係合している、請求項３３に記載の呼吸保護装置。
【発明の詳細な説明】
【技術分野】
【０００１】
本開示は、適合チェックデバイスを含む呼吸保護装置及び方法、並びにいくつかの実施形態では、弾性シールを含む呼吸保護装置を記載する。
【背景技術】
【０００２】
例えば、ユーザの鼻及び口を覆い、呼吸可能空気を着用者に提供するレスピレータ保護デバイスが周知である。空気は着用者によって呼吸可能空気源を通して引き込まれ、又は、ファン若しくは送風器によって、空気が着用者によって吸気され得る呼吸領域内へ強制的に送り込まれる。
【０００３】
呼吸可能空気を着用者へ効果的に送るために、呼吸保護装置は、濾過されていない空気がマスクに入るのを阻止する。例えば、呼吸保護装置の、接顔部の密封の完全性を試験するための様々な技法が提案されている。正圧試験では、着用者がマスク内へ呼気する間、呼吸保護装置の呼気弁が遮断される。漏れが存在しない場合には、空気がマスクから出ることができないことによる内圧の増大によって、十分な密封が合図され得る。代替的に、着用者が、マスクを着用し、同時に吸気する間，フィルタカートリッジポートが遮断される負圧試験が提案されている。漏れが存在しない場合には、空気がマスクに入ることができないことによる内圧の低下によって、十分な密封が合図され得る。負圧又は正圧試験を促進するための、１つ以上のポートを遮断する様々な機構が提供されている。
【発明の概要】
【０００４】
本明細書において説明される特定の諸実施形態は、着用者のための呼吸可能空気領域を画定するマスク本体と、第１の弾性シールと、第１の弾性シールと密封係合したマスク本体に取り付けられるように構成された第１の呼吸用空気源構成要素と、開構成と第１の呼吸用空気源構成要素を通した呼吸可能空気領域への流体連通が阻止される閉構成との間を操作可能な弁アセンブリと、を含む呼吸保護装置を提供する。弁アセンブリは閉構成において第１の弾性シールと密封係合している。
【０００５】
諸実施形態は以下の特徴のうちのいずれかを含んでもよいし、全てを含んでもよいし、又は１つも含まなくてもよい。弁アセンブリがアクチュエータ及び第１のシール面を含み得、第１のシール面は、弁アセンブリが閉構成になっている時には、第１の弾性シールと密封係合している。アクチュエータが、開構成と閉構成との間で長手方向軸に沿って直線運動するように構成され得る。シール面が、開構成と閉構成との間で直線運動するように構成され得る。シール面が、開構成と閉構成との間で枢動するように構成され得る。シール面が、弁アセンブリが閉構成になっている時には弾性シールの内部に向かって延びる突起を含み得る。弾性シールが、第１の端部領域及び第２の端部領域、外面、並びに第１の呼吸用空気源構成要素を受け入れるように構成された通路を画定する内面を含み得る。呼吸用空気源構成要素が、マスク本体に取り付けられると、弾性シールの内面と密封係合し得る。弾性シールの外面の少なくとも一部分が、弁アセンブリが開構成になっている時には、硬質な構成要素と接触していなくてもよい。弾性シールの第２の端部領域が、浮動型の端部であり得る。弁アセンブリの第１のシール面が、弁アセンブリが閉構成になっている時には、弾性シールの第２の端部領域と密封係合し得る。弾性シールの第２の端部領域が、内向きに曲がった端部を含み得る。閉構成において、弁アセンブリの第１のシール面が、内向きに曲がった端部において外面と接触し得る。閉構成において、弾性シールの第２の端部領域が弁アセンブリの第１のシール面によって締め付けられて閉じ得る。弾性シールが第２の端部領域において、減少した材料厚さを有し得、第２の端部領域が、空気が第１の端部領域から第２の端部領域に向かって流れる際には、開放するように構成されており、第２の端部領域から第１の端部領域へ向かう空気流を阻止するために、閉鎖するように構成されている。呼吸保護装置は、マスク本体に取り付けられるように構成された第２の呼吸用空気源構成要素を含み得る。呼吸保護装置は、第２の弾性シールと、マスク本体に取り付けられるように構成された第２の呼吸用空気源構成要素とを含み得、第２の呼吸用空気源構成要素は、マスク本体に取り付けられると、第２の弾性シールと密封係合しており、弁アセンブリは閉構成において第２の弾性シールと密封係合している。
【０００６】
本明細書において説明される特定の諸実施形態は、着用者のための呼吸可能空気領域を画定し、第１の受け部を有するマスク本体であって、第１の受け部は、第１の端部領域及び第２の端部領域を有し、第１の呼吸用空気源構成要素を少なくとも部分的に受け入れるように構成された第１の通路を画定する第１の弾性シールを含む、マスク本体と、開構成と、第１の呼吸用空気源構成要素と呼吸可能空気領域との間の流体連通が遮断される閉構成との間を操作可能な弁アセンブリと、を含む呼吸保護装置を提供する。弁アセンブリは、弁アセンブリが、呼吸用空気源構成要素と呼吸可能空気領域との間の流体連通を阻止するための閉鎖位置にある時には、弾性シールの第２の端部領域と係合しており、弾性シールは、弾性シールの第１の端部領域において呼吸用空気源構成要素と密封係合するように構成されている。
【０００７】
諸実施形態は以下の特徴のうちのいずれかを含んでもよいし、全てを含んでもよいし、又は１つも含まなくてもよい。第１の受け部がマスク本体と一体形成され得る。第１の受け部が、マスク本体によって画定された開口部内に位置し得る。弾性シールの第２の端部領域が、内向きに曲がった端部を含み得る。弾性シールが、弾性シールを貫く通路を画定する内面、及び外面を含み得る。外面が、弁アセンブリが開放位置にある時には、硬質な構成要素と接触していなくてもよい。第２の端部領域が、浮動型の端部であり得る。弁アセンブリが閉構成において弾性シールの外面の一部分と係合し得る。マスク本体が第２の受け部を含み得、第２の受け部は、第１の端部領域及び第２の端部領域を有し、第２の呼吸用空気源構成要素を受け入れるように構成された第２の通路を画定する第２の弾性シールを含む。弁アセンブリは、弁アセンブリが、第２の呼吸用空気源構成要素と呼吸可能空気領域との間の流体連通を阻止するための閉鎖位置にある時には、第２の弾性シールの第２の端部領域と係合し得、弾性シールが、弾性シールの第１の端部領域において第２の呼吸用空気源構成要素と密封係合するように構成され得る。弁アセンブリが開構成の方へ付勢され得る。アクチュエータがボタンを含み得、ボタンは、弁アセンブリが閉構成になっている時には、押下され得る。
【０００８】
本明細書において説明される特定の諸実施形態は、呼吸保護装置を操作する方法であって、弁アセンブリを、マスク本体に取り付けられた呼吸用空気源構成要素が弾性シールと密封係合し、マスク本体によって画定された呼吸可能空気領域と流体連通している、開構成から、呼吸用空気源構成要素を通した流体連通が閉鎖されている閉構成へ操作する工程を含む、方法を提供する。弁アセンブリを閉構成へ操作することは弁アセンブリと弾性シールとの間の密封係合を生じさせる。弁アセンブリは、閉構成において弾性シールと係合するシール面を含み得る。弁アセンブリを閉構成へ操作することは、弾性シールによって画定された通路を通した空気流を阻止するよう、弾性シールの端部領域を締め付けることを含み得る。
【０００９】
１つ以上の実施形態の詳細を、添付の図面及び以下の説明で明らかにする。上記発明の概要は、各々の開示される実施形態又は全ての実施形態を記載することを意図するものではない。他の特徴及び利点は、発明を実施するための形態及び図面から、並びに特許請求の範囲から明らかになるであろう。
【図面の簡単な説明】
【００１０】
本記載は添付の図を参照して更に与えられる。その際、同様の構造は、いくつかの図全体を通じて同様の数字によって参照される。
【００１１】
【図１】例示的な呼吸保護装置の斜視図である。
【００１２】
【図２】例示的な弾性シールの斜視図である。
【００１３】
【図３】例示的な呼吸保護装置の部分断面図である。
【００１４】
【図４】第１及び第２の呼吸用空気源構成要素を含む図３の呼吸保護装置の部分断面図である。
【００１５】
【図５】閉構成における弁アセンブリを示す図３の呼吸保護装置の部分断面図である。
【００１６】
【図６】開構成における弁アセンブリを示す図３の呼吸保護装置の拡大断面斜視図である。
【００１７】
【図７】閉構成における弁アセンブリを示す図３の呼吸保護装置の拡大断面斜視図である。
【００１８】
【図８】例示的な呼吸保護装置の部分断面斜視図である。
【００１９】
【図９】閉構成における弁アセンブリを示す図８の呼吸保護装置の部分断面図である。
【００２０】
【図１０Ａ】例示的な弾性シールの斜視図である。
【図１０Ｂ】例示的な弾性シールの斜視図である。
【００２１】
【図１１】例示的な呼吸保護装置の部分断面図である。
【００２２】
【図１２】図１１の呼吸保護装置の部分断面図である。
【００２３】
【図１３】閉構成における弁アセンブリを示す図１１の呼吸保護装置の部分断面図である。
【００２４】
前述した図では、開示した主題の様々な実施形態について記載しているが、他の実施形態も考えられる。全ての場合において、本開示は、開示される主題を、限定としてではなく代表として示している。
【発明を実施するための形態】
【００２５】
本開示は、１つ以上の呼吸用空気源構成要素を受け入れるように構成された着用者のための呼吸可能空気領域を画定するマスク本体を含む呼吸保護装置を提供する。呼吸保護装置は、呼吸可能空気が呼吸用空気源構成要素から呼吸可能空気領域内へ通過し得る開放位置と、空気流が遮断される閉鎖位置との間を選択的に操作可能な弁アセンブリを含む。いくつかの例示的な実施形態では、呼吸保護は弾性シールを含み、呼吸用空気源構成要素及び弁アセンブリは閉構成において弾性シールと密封係合している。
【００２６】
図１を参照すると、着用者の口及び／又は鼻を覆う例示的な呼吸保護装置１００が示されている。呼吸保護装置１００は、１つ以上の受け部１２０を有するマスク本体１１０を含む。１つ以上の呼吸用空気源構成要素１５０が１つ以上の受け部１２０においてマスク本体１１０に取り付けられ得る。第１及び第２の呼吸用空気源構成要素１５０は、外部環境から受け入れられた空気を、空気がマスク本体の呼吸可能空気領域に入る前に濾過するフィルタカートリッジを含み得る。他の例示的な諸実施形態では、第１及び第２の呼吸用空気源構成要素１５０は、管若しくは導管、動力式空気浄化レスピレータ構成要素、又はその他の適切な呼吸用空気源構成要素１５０などの、供給空気構成要素を含み得る。
【００２７】
マスク本体１１０は、硬質又は半硬質部分１１０ａ及び柔軟な顔面接触部分１１０ｂを含み得る。柔軟な顔面接触部分１１０ｂは、マスク本体１１０が人の鼻及び口の上で快適に支持され、且つ／又は着用者の顔面との十分な密封をもたらすことを可能にする可撓性材料を含む。顔面接触部材１１０ｂは、着用者の鼻の上及び着用者の頬に対する快適でぴったりした適合を促進するための内曲した折り返し部（cuff）を有し得る。硬質又は半硬質部分１１０ａは構造的完全性をマスク本体１１０にもたらし得る。様々な例示的な実施形態では、マスク本体部分１１０ａ、１１０ｂは、一体的に設けるか又は後に恒久的に若しくは取り外し可能な方式で結合される１つ以上の別個に形成された部分として設けることもできる。
【００２８】
マスク本体１１０は、着用者による呼気の間にマスク本体１１０内の内部空間から空気がパージされることを可能にする呼気ポート１１１を含む。例示的な一実施形態では、呼気弁はマスク本体１１０の中央に位置している。例えば、ダイアフラム又は逆止弁を含む呼気弁は、外部空気の進入を阻止しつつ、マスク本体１１０内の空気が正圧のゆえに選択的に出て行くことを可能とする。いくつかの例示的な実施形態では、呼気ポート１１１は、マスク本体の相対的に下部の部分、例えば、着用者の口の下方に位置している。
【００２９】
マスク本体１１０を着用者の口及び／又は鼻の上の所定位置に支持するために、ハーネス又はその他の支持アセンブリ（図１には示されていない）が設けられてもよい。例示的な一実施形態では、ハーネスは、着用者の頭部の背後を通り、且つ／又は例えば、着用者の頭部上で支持される頭頂部材若しくは頭部着用サスペンションに取り付けられ得る１つ以上のストラップを含む。
【００３０】
フィルタカートリッジなどの、１つ以上の呼吸用空気源構成要素１５０が第１及び第２の受け部１２０においてマスク本体１１０に取り付けられ得る。例示的な一実施形態では、第１及び第２の受け部１２０は、マスク本体１１０の両側に、例えば、マスク本体１１０の止め具部分に近接して位置している。第１及び第２の受け部１２０は、フィルタカートリッジがマスク本体１１０にしっかりと取り付けられ得るよう、相補的嵌合機構を含む。嵌合機構は、第１及び第２のフィルタカートリッジが、それらの有効寿命の終わりに、又は異なる呼吸用空気源構成要素の使用が所望される場合に、取り外されて交換され得るよう、取り外し可能な接続をもたらし得る。代替的に、接続は永久的であってもよく、そのため、フィルタカートリッジは、フィルタカートリッジへの損傷を生じることなく取り外すことができない。
【００３１】
呼吸用空気源構成要素１５０は、例えば、１つ以上のラッチ、ねじ、コネクタ、又は相補的機構によって受け部１２０に固定され得る。例示的な一実施形態では、呼吸保護装置１００は、呼吸用空気源構成要素１５０をマスク本体１１０の受け部１２０に固定するカンチレバーラッチ１３０を含む。カンチレバーラッチ１３０は、呼吸用空気源構成要素１５０と一体形成されており、出口ノズル１５５と実質的に平行であり、及び／又は少なくとも部分的に同一の広がりを持ち得る。受け部１２０及び／又はマスク本体１１０は、カンチレバーラッチ１３０と協働し、本体１１０と呼吸用空気源構成要素１５０との間のしっかりした接続をもたらす１つ以上の相補的嵌合機構を含み得る。様々な例示的な実施形態では、受け部１２０及び／又はマスク本体１１０は、呼吸用空気源構成要素１５０の機構と協働するカンチレバーラッチ１３０を含み得、カンチレバーラッチ１３０及び／又は相補的嵌合機構は撓むことによりしっかりした係合をもたらし得る。
【００３２】
フィルタカートリッジ１０５などの呼吸用空気源構成要素１５０は、例えば、周囲空気を、空気がマスク本体１１０の内部空間内へ通過する前に濾過し得る。例示的な一実施形態では、フィルタカートリッジ１０５は、第１及び第２の主面１５１、１５２を含む本体部分１５３を含み、第１及び第２の主面１５１、１５２の間に少なくとも部分的に延びる１つ以上の側壁１５４を含み得る。第１及び第２の主面１５１、１５２及び／又は側壁のうちの１つ以上は少なくとも部分的に流体透過性であり、空気がフィルタカートリッジ１０５に入ることを可能にする。いくつかの例示的な実施形態では、フィルタカートリッジ１０５は、外部ハウジングを有しない、又はハウジングによって部分的に包囲された濾材を主に含み得る。
【００３３】
フィルタカートリッジ１０５は、流体がフィルタカートリッジ１０５からマスク本体１１０内へ出ることを可能にするための出口ノズル１５５を含む。例示的な一実施形態では、出口ノズル１５５は側壁１５４などの本体部分１５３から外向きに延び、先端部１５６、外面１５７、及び出口ノズル１５５を貫く空気流通路を画定する内面を含む。様々な例示的な実施形態では、出口ノズル１５５は、第１若しくは第２の主面１５１、１５２、１つ以上の側壁１５４、又はこれらの組み合わせのうちの任意のものに近接して位置し得る。
【００３４】
フィルタカートリッジ１０５は、少なくとも部分的に、受け部１２０と係合することによって、マスク本体１１０に固定される。例示的な一実施形態では、出口ノズル１５５は、弾性シール（図１には示されていない）によって部分的に画定された受け部１２０の開口部内に挿入される。硬質な外側部分又は受け部１２０は、例えば、マスク本体１１０とフィルタカートリッジ１０５との間の主たる構造的支持及び安定性をもたらし得、弾性シールは外面１５７並びに／又は出口ノズル１５５及びフィルタカートリッジ１５０の他の部分と密封係合し得、外部環境からの汚染物又はごみの進入を阻止する。
【００３５】
呼吸保護装置１００は、１つ以上の呼吸用空気源構成要素１５０からマスク本体１１０の呼吸可能空気領域への空気流を選択的に阻止するための弁アセンブリ１７０を含む。弁アセンブリ１７０は、本明細書においてより詳細に説明されるように、呼吸用空気源構成要素１５０との間の流体連通が遮断される閉構成と、呼吸可能空気が呼吸用空気源構成要素１５０からマスク本体１１０の呼吸可能空気領域へ流れ得る開構成との間を操作可能である。
【００３６】
図２を参照すると、第１の端部領域２６１、第２の端部領域２６２、外面２６３、及び通路２６５を少なくとも部分的に画定する内面２６４を含む例示的な弾性シール２６０が示されている。第１の端部領域２６１は、受け部１２０（図１）などの、マスク本体の硬質な構成要素に接続され得る。例示的な一実施形態では、弾性シール２６０は、マスク本体１１０に取り付けられた、フィルタカートリッジ１５０などの、呼吸用空気源構成要素の外面を少なくとも部分的に包囲する弾性スリーブを提供し、呼吸用空気源構成要素１５０の少なくとも一部分が通路２６５内に位置し得るよう、第１及び第２の端部の間の長さ（Ｌ）を有する。いくつかの例示的な実施形態では、長さ（Ｌ）は、５ｍｍ〜１００ｍｍ、１０ｍｍ〜４０ｍｍ、又は約２０ｍｍであり得る。弾性シール２６０の第２の端部領域２６２及び／又は様々な場所は、本明細書においてより詳細に説明されるように、浮動型とするか、又は別の様態でマスク本体１１０の硬質な構成要素に留められていなくてもよく、それにより、弾性シール２６０は少なくとも部分的にマスク本体１１０の一部分とは独立して運動又は変形し得る。
【００３７】
第２の端部領域２６２は、弾性シール２６０を通した空気流を選択的に遮断する、弁アセンブリ１７０などの弁アセンブリの構成要素との密封係合のために構成されている。第２の端部領域２６２は、弁アセンブリの構成要素と密封係合し得る周辺部２６７を含む。例えば、第２の端部領域２６２は、周辺部２６７の周りに少なくとも部分的に延びる内向きに曲がったリップ２６６を含む。第２の端部領域２６２、及び／又は内向きに曲がったリップ２６６は、弁アセンブリの一部分が容易に接触して密封係合を作り出し得る表面を提供する。第２の端部領域２６２、及び／又は周辺部２６７は、通路２６５を通した空気流を遮断するべく十分な密封を促進するために、適合性及び可撓性を有する。
【００３８】
図３〜図５を参照すると、呼吸保護装置３００の部分断面図が示されている。呼吸保護装置３００は、呼吸可能空気領域３１１を画定するマスク本体３１０（その一部は図３〜図５において省略されている）を含み、いくつかの実施形態では、上述された呼吸保護装置１００と同様であり得る。呼吸保護装置３００は、ユーザが適合試験を実行し得るよう、１つ以上の呼吸用空気源構成要素からの空気流を選択的に遮断する弁アセンブリ３７０を含む。
【００３９】
弁アセンブリ３７０は、アクチュエータ３７１、及び１つ以上のシール面３７３を有するプランジャ３７２を含む。アクチュエータ３７１は、ユーザによって、弁アセンブリ３７０を開構成と閉構成との間で運動させるように操作可能である。アクチュエータ３７１は、プランジャ３７２を運動させるよう、内向きに押されるか、又は他の様態で操作され得る、オーバーモールドされた弾性押しボタン、スライド可能ボタンなどの、ボタンであり得る。例えば、アクチュエータ３７１は、プランジャ３７２を弾性シール３６０に向かって運動させるよう、内向きに押され得る。様々な例示的な実施形態では、アクチュエータ３７１は、弁アセンブリを開構成と閉構成との間で運動させるように操作可能なひねり機構、レバー、スライダ、又は他の適切なアクチュエータ３７１を代替的又は追加的に含み得る。いくつかの実施形態では、弁アセンブリは、呼吸可能空気領域３１１を少なくとも部分的に画定するマスク本体３１０の後方部分と係合するか、又はそれと一体形成された、マスク本体３１０の前方部分（図３〜図５には示されていない）により少なくとも部分的に支持され得る。
【００４０】
図３〜図４に示される開構成では、空気は、フィルタカートリッジ３５０から、弾性シール３６０、例えば、ダイアフラム又はフラップ弁３８１を含む１つ以上の流体連通構成要素３８０を通して、呼吸可能空気領域３１１内へ流れ得る。図５に示される閉構成では、シール面３７３は弾性シール３６０のそれぞれの第２の端部領域３６２と密封係合している。シール面３７３と弾性シール３６２との間の密封係合はフィルタカートリッジ３５０（図４）から呼吸可能空気領域３１１への空気流を実質的に阻止する。例えば、プランジャ３７２は、第１の弾性シール３６０の第２の端部領域３６２と密封係合し得る第１のシール面３７３を含む。プランジャ３７３は、第２の弾性シール３６０の第２の端部領域３６２と密封係合し得る第２のシール面３７３を含み得る。呼吸用空気源構成要素からの１つ以上の流体経路を選択的に遮断するための１つ以上の追加のシール面がプランジャ３７２によって提供されてもよい。
【００４１】
弁アセンブリ３７０は、ユーザによる印加力が存在しない場合には所望の構成へ戻るように付勢されていてもよい。例えば、弁アセンブリ３７０は、ユーザによって解放されると弁アセンブリ３７０を開構成（図３〜図４）へ戻す１つ以上の弾力性のある部材を含む。例示的な一実施形態では、アクチュエータ３７１は、プランジャ３７２を、シール面３７３が弾性シール３６０の第２の端部領域３６２と密封係合していない開構成の方へ付勢する弾力性のある部材の役割を果たす弾性ボタンである。アクチュエータ３７１は、アクチュエータ３７１を支持し、アクチュエータ３７１を開構成へ付勢するためにマスク本体３１０の外壁又はその他の硬質な構成要素に取り付けられた可撓性ウェブ３７４を含み得る。ウェブ３７４は、アクチュエータがユーザによって内向きに押されると弾性的に変形することができ、その一方で、ユーザによる印加力が存在しない場合には弁アセンブリ３７０を開構成へ戻すように作用する可撓性又は柔軟材料で形成されている。代替的に、又は追加的に、弁アセンブリ３７０は１つ以上の弾力性のある部材を含み得る。様々な例示的な実施形態では、例えば、コイルばね、板ばね、又は弾性バンドが、弁アクチュエータ３７１及び／又はプランジャ３７２を開放位置に向かって付勢するために設けられ得る。
【００４２】
アクチュエータ３７１及びプランジャ３７２は、開構成と閉構成との間の操作を促進するために、直接又は間接的に、接続され得る。例示的な一実施形態では、プランジャ３７２は、アクチュエータ３７１と比べてより高度の硬質性又は堅さを有する。アクチュエータ３７１とプランジャ３７２とは、プランジャ３７２のアパーチャ３７６を貫いて位置するアクチュエータ３７１のスナップ嵌めコネクタ３７５によって結合されていてもよい。代替的に、又は加えて、アクチュエータ３７１とプランジャ３７２とは、例えば、リベット、メカニカルファスナー、接着剤、又は１つ以上の中間構成要素によって結合されていてもよい。実質的に硬質なプランジャ３７２は弾性シール３６０の実質的に可撓性又は柔軟な第２の端部領域３６２との堅牢な密封係合を促進し得る。
【００４３】
使用時には、フィルタカートリッジ３５０などの呼吸用空気源構成要素が受け部３２０と係合させられ得る。受け部３２０は、フィルタカートリッジ３５０の出口ノズル３５５が、弾性シール３６０によって画定された通路３６５内へ滑り込み得るように構成されている。出口ノズル３５５の外面３５７は弾性シール３６０の内面３６４と接触し、フィルタカートリッジ３５０と受け部３２０との間の密封係合をもたらす。硬質な外側部分３２１がマスク本体３１０とフィルタカートリッジ３５０との間の実質的な構造的支持及び安定性をもたらし得、その一方で、弾性シール３６０とフィルタカートリッジ３５０との間の係合が、外部環境からの不要な汚染物又はごみの進入を阻止するために十分な密封をもたらす。
【００４４】
例示的な一実施形態では、出口ノズル３５５の外面３５７は、出口ノズル３５５と弾性シール３６０との間の締まり嵌め及びぴったりとした密封係合を増進するために、内面３６４によって画定された通路３６５より相対的に大きくてもよい。代替的に、又は加えて、弾性シール３６０は、壁厚が変化する、及び／又は凹凸がある形状を有する部分を含み得る。例えば、内面３６４は、出口ノズル３５５の外面３５７と接触するように構成された場所に位置した１つ以上のリブ３６７を含み得る。１つ以上のリブ３６７は、十分な密封をもたらすために、出口ノズルの周辺部の周りの連続的接触を増進する。更に、１つ以上のリブ３６７は、フィルタカートリッジ３５０を受け部３２０と係合させる際にユーザによる過度の力を必要とすることなく堅牢な密封を増進し得る、出口ノズル３５５と弾性シール３６０との間の圧力が集中する部分を提供し得る。
【００４５】
弾性シール３６０の少なくとも一部分は、外向きの弾性変形若しくは拡大を拘束するであろう、硬質な外側部分３２１などのマスク本体３１０の硬質な構成要素と直接接触しないよう、浮動型又は別の様態とし得る。弾性シール３６０は、出口ノズル３５５が通路３６５内に密封係合している間に、撓曲及び／又は関節運動することができ、出口ノズル３５５及び／又はフィルタカートリッジ３５０の運動を追跡する、又はそれに追随し得る。それゆえ、マスク本体３１０とフィルタカートリッジ３５０との間の相対運動の最中でさえも、堅牢な密封が維持され得る。
【００４６】
マスク本体３１０がユーザの口及び／又は鼻の上の使用位置にあり、１つ以上のフィルタカートリッジ３５０がマスク本体３１０に係合した状態で、弁アセンブリ３７０は、適合試験を実行するために、開構成から閉構成へ操作され得る。アクチュエータ３７１を内向きに押すことによる、アクチュエータ３７１の操作は、例えば、プランジャ３７１を開放位置（図４）から閉構成（図５）へ直線運動させる。閉構成では、シール面３７３の実質的に平面状の接触面が第２の端部領域３６２の周辺部３６７の位置に整合しており、弾性シール３６０の第２の端部領域３６２と密封係合している。
【００４７】
開構成から閉構成への弁アセンブリ３７０の操作は、ユーザが、例えば、着用者によって観察され得る漏れの存在及び／又は不存在のインジケータを提供することによって、適切な密封がマスク本体３１０とユーザの顔面との間に形成されていることを確認するための適合試験を実行することを可能にする。弁アセンブリ３７０が閉構成になっている時には、空気は、フィルタカートリッジ３５０から呼吸可能空気領域３１１に入るのを阻止される。それゆえ、閉構成における着用者による吸気はマスク本体３１０内に負圧を作り出し、ユーザが更に吸気することが次第により困難になり得る。代替的に、又は追加的に、閉構成における吸気は、ユーザの顔面との密封が形成されている場合には、柔軟な顔面接触部分３１０ｂを内向きに撓ませ得る。十分な密封が達成されていない場合には、負圧は作り出され得ず、十分な密封に伴う表示はなされ得ない。したがって、閉構成への弁アセンブリ３７０の操作、及びそれに続くユーザによる吸気は、十分な密封が呼吸保護装置３００とユーザの顔面との間に形成されているかどうかを示す。
【００４８】
アクチュエータ３７１及び／又はプランジャ３７２は、開構成と閉構成との間で長手方向軸に沿って直線運動するように構成され得る。例えば、アクチュエータ３７１及び／又はプランジャ３７２は、アクチュエータ３７１及び／又はプランジャ３７２の中心を通って延びる長手方向軸（Ａ）に沿って開構成と閉構成との間で直線運動し得る。長手方向軸（Ａ）はアクチュエータ３７１の外面と直交して延びてもよい。いくつかの例示的な実施形態では、長手方向軸（Ａ）はアクチュエータ３７１、プランジャ３７２及び流体連通構成要素３８０の実質的に中心を通過する。
【００４９】
第１及び／又は第２のシール面３７３は開構成と閉構成との間の移動軸に沿って同様に直線運動し得、長手方向軸（Ａ）から角度を有し、オフセットし得る。例えば、第１のシール面３７３は、長手方向軸（Ａ）を通って鉛直に延びる平面と実質的に垂直又は平行でない、実質的に平面状の主面を含む。代替的に、又は追加的に、第１のシール面３７３の移動軸は、第２の端部領域３６２において通路３６５の中心を通って延びる弾性シール３６０の長手方向軸（Ｂ）と非同軸又は非平行であり得る。いくつかの実施形態では、長手方向軸（Ａ）に対する第１のシール面３７３の角度は、長手方向軸（Ａ）に対する第２の端部領域３６２の角度と実質的に同一であり、それにより、第１のシール面３７３と第２の端部領域３６２の周辺部３６７とは閉構成において実質的に位置が整合している。このように、プランジャ３６２及び／又は第１のシール面３７３は、第２の端部領域３６２の周辺部３６７の周りにおける適切な接触を生み出し、十分な密封をもたらしつつ、開構成から閉構成へ直線的に移動し得る。本明細書において説明されているように角度を有する第１のシール面３７３は、第１のシール面３７３と弾性シール３６０の第２の端部領域３６２との間の適切な接触及び堅牢な密封係合を促進する。
【００５０】
弁アセンブリ３７０は、アクチュエータ３７１及び／又はプランジャ３７２の直線移動を促進する１つ以上の構成要素を含み得る。例えば、アクチュエータ３７１及び／又はプランジャ３７２は、長手方向軸（Ａ）に沿って位置するシャフト又はレールに沿って移動し得る。代替的に、又は追加的に、アクチュエータ３７１及び／又はプランジャ３７２は、長手方向軸（Ａ）と平行、且つ長手方向軸（Ａ）から離間配置されたシャフト又はレールに沿って移動し得る。いくつかの実施形態では、アクチュエータ３７１及び／又はプランジャ３７２は「浮動型とする」か、又は実質的にアクチュエータ３７１の可撓性ウェブ３７４によって支持されていてもよい。可撓性ウェブ３７４はアクチュエータ３７１及び／又はプランジャ３７２を開構成と閉構成との間の運動の間に長手方向軸（Ａ）と実質的に位置が整合した状態に維持し、シール面３７３を弾性シール３６０の第２の端部領域３６２との適切な整合のための所定位置に維持し得る。
【００５１】
プランジャ３７２及び弾性シール３６０は、閉構成における一貫した堅牢な密封を増進するように構成されている。例えば、相対的により硬質なシール面３７３と、弾性シール３６０の相対的により柔軟な第２の端部領域３６２が接触することにより、構成要素同士の間の相対運動及び／又はプランジャ３７２の不正確な移動があっても、密封係合が促進される。開構成と閉構成との間でのプランジャ３７２の変位は、ユーザによって印加される力、又は弁アセンブリ３７０、及び呼吸保護装置３００のその他の構成要素の寸法公差に基づいて若干変化し得る。例えば、プランジャ３７２は、シール面３７３が弾性シール３６０の第２の端部領域３６２に接触するための所定の最小距離を超えて変位させられ得る。たとえ、シール面３７３が、所定の距離よりも長い距離移動する場合であっても、第２の端部領域３６２がシール面３７３の位置へ撓曲又は適合する適切な柔軟性により、一貫した密封係合が促進される。同様に、たとえ、構成要素同士の間の不正確な運動を生じさせ得る、ユーザによって印加される不均一な力、又は呼吸保護装置３００の構成要素の広い寸法公差のゆえに、シール面３７３が、予期した軸から横方向に運動する、又は遠ざかる場合であっても、一貫した密封係合が維持され得る。いくつかの例示的な実施形態では、弾性シール３６０は、第２の端部領域３６２が、シール面３７３に沿って容易に滑るのではなく、シール面３７３を「把持する」か、又は他の様態でそれと共に運動するような材料表面特性を有し得、ユーザが過剰な力をアクチュエータ３７１に加えることを必要とすることなく、一貫した密封係合を増進する。
【００５２】
図６〜図７を参照すると、開構成（図６）及び閉構成（図７）における、シール面３７３、及び弾性シール３６０の第２の端部領域３６３を含む拡大斜視図が示されている。第２の端部領域３６２は、シール面３７３との接触のための柔軟な周辺部３６７を提供する内向きに曲がったリップ３６６を含む。内向きに曲がったリップ３６６は先細り状であり得、及び／又は厚さが減少した１つ以上の場所を含み得る。相対的により小さくなった厚さは、可撓性又は柔軟性が増大した部分をもたらす。例えば、弾性シール３６０は、主要厚さ（Ｔ）を有する１つ以上の中間部分、及び減少した厚さ（ｔ）の１つ以上の部分を含み得る。いくつかの例示的な実施形態では、主要厚さ（Ｔ）は、減少した厚さ（ｔ）の１１０％〜４００％、１５０％〜３００％、又は約２００％であり得る。このような相対的な厚さは、シール面３７３によって係合されると、内向きに曲がったリップ３６６の撓みを増進する柔軟性が集中した部分をもたらす。
【００５３】
内向きに曲がったリップ３６６は、シール面３７３と弾性シール３６０の外面３６３との間の接触を促進する形状を有する。シール面３６３による接触は、内向きに曲がったリップ３６６を、例えば、通路３６５及び／又は第１の端部３６１に向かって撓曲又は屈曲させ得る。内向きに曲がったリップ３６６は、シール面３７３が、例えば、非一様な圧力又は角度で第２の端部領域３６２に接触する場合に、シール面３７３との一貫した密封係合を促進するために、第２の端部領域３６２の周辺部の周りにおいて非一様に撓曲し得る。更に、適合試験の間に発生される負圧は、内向きに曲がったリップ３６６を、シール面３７３に向かって外向きに撓曲するよう引っ張るか、又は別の様態でそれに作用し得、適合試験が実行されている間における密封接触を増進する。
【００５４】
代替的に、又は追加的に、弾性シール３６０は、シール面３７３との一貫した密封係合を促進するために、その長手方向の長さに沿って適合又は関節運動し得る。例えば、弾性シール３６０は、第２の端部領域３６２などの、浮動型とするか、又は別の様態でマスク本体３１０の硬質な構成要素によって拘束されていない少なくとも一部分を含む。第２の端部領域３６２は、閉構成におけるシール面３７３の広範な角度又は位置にわたるシール面３７３との密封係合を促進するために、マスク本体３１０の他の構成要素に対して関節運動又は屈曲し得る。同様に、第１及び第２の端部の間の弾性シール３６０の長さに沿った１つ以上の部分は、シール面３７３によって接触された時の弾性シール３６０の柔軟性及び／又は関節運動を可能にするために、少なくとも部分的に硬質な構成要素による拘束を受けないものとし得る。
【００５５】
いくつかの例示的な実施形態では、弾性シール３６０は、呼吸用空気源構成要素を受け入れるように構成された場所を越えて延びる長さ（ｌ）（図５）を含む。例えば、フィルタカートリッジ３５０が保持器３２０において係合させられると、弾性シール３６０は出口ノズル３５５の先端部３５６よりも更に長手方向軸（Ａ）に向かって延びる。長さ（ｌ）に沿った弾性シール３６０は呼吸用空気源構成要素によって拘束を受けず、シール面３７３との密封係合を維持するための柔軟性を更に増進する弾性シール３６０の長さを提供する。
【００５６】
図８〜図９を参照すると、開構成と閉構成との間で枢動する１つ以上のシール面５７３を有する弁アセンブリ５７０を含む呼吸保護装置５００の部分断面図が示されている。呼吸保護装置５００は、呼吸可能空気領域を画定するマスク本体５１０（その一部は図８〜図９において省略されている）を含み、いくつかの実施形態では、上述された呼吸保護装置３００と同様である。呼吸保護装置５００は、１つ以上の呼吸用空気源構成要素からの空気流を選択的に遮断し得る弁アセンブリ５７０を含む。
【００５７】
弁アセンブリ５７０は、アクチュエータ５７１、プランジャ５７２、及び１つ以上のシール面５７３を含む。アクチュエータ５７１は、ユーザによって、弁アセンブリ５７０を開構成と閉構成との間で運動させるように操作可能であり、弾性ボタン又はその他の適切なアクチュエータを含み得る。アクチュエータ５７１、及び／又はプランジャ５７２の少なくとも一部分は開構成と閉構成との間で直線運動し得、その間に、シール面５７３は開構成（図８）と閉構成（図９）との間で枢動する。
【００５８】
シール面５７３は、アクチュエータ５７１、及び／又はプランジャ５７２の一部分とは独立して少なくとも部分的に運動可能であり得る。シール面５７３及びプランジャ５７２は、ボス５７７及びスライド５７８を有するスライダジョイントを含み得る。代替的に、又は加えて、シール面５７３及びプランジャ５７２は、例えば、カム及び従動子を含み得る。アクチュエータ５７１、及び／又はプランジャ５７２の少なくとも一部分の直線運動はスライド５７８をボス５７７に沿って運動させ、シール面５７３の枢動を生じさせる。様々な他の例示的な実施形態では、弁アセンブリ５７０は、シール面が枢動して弾性シール５６０の第２の端部領域５６２と密封係合し得るよう、蝶番、ばね、又はその他の適切な構成要素を含み得る。
【００５９】
シール面５７３は、弾性シール５６０の第２の端部領域５６２との一貫した接触をもたらす主面を含む。例えば、シール面５７３は、第２の端部領域５６２の周辺部と整合するように位置した実質的に平面状の表面を含む。例示的な一実施形態では、シール面５７３によって第２の端部領域５６２に対して与えられる力（Ｆ）は、第２の端部領域５６２において通路５６５を横切る平面と実質的に垂直な方向に作用する。例えば、力（Ｆ）は、第２の端部領域５６２において通路５６５の中心を通って延びる長手方向軸（Ｂ）（図９）と実質的に平行な方向に作用し得る。このような配置において、力（Ｆ）の主方向は弾性シール５６０との一貫した密封係合を増進し、その一方で、ユーザがアクチュエータ５７１に加えなければならない必要な力を抑制する。
【００６０】
第２の端部領域５６２は、シール面５７３との接触のための柔軟な周辺部を提供する内向きに曲がったリップを含み得る。内向きに曲がったリップは、いくつかの実施形態では、上述された内向きに曲がったリップ３６６と同様であり得る。内向きに曲がったリップは柔軟性が集中した部分をもたらし得、マスク本体５１０内の負圧下でシール面５７３との密封接触に向けて撓むように構成され得る。
【００６１】
シール面５７３は、弾性シール５６０との一貫した密封係合を増進し得る１つ以上の突出部を含み得る。１つ以上の突出部は、シール面５７３の位置にわたってでも、第２の端部領域５６２との堅牢な密封係合を増進する外向きに延びる表面を提供する。代替的に、又は追加的に、突出部は通路５６５内に若干延び、弾性シール５６０の内面５６４と接触し得、且つ／又は第２の端部領域５６２の周辺部の周りに延び、弾性シール５６０の外面５６３と接触し得る。
【００６２】
図１０Ａ〜図１０Ｂを参照すると、適合試験を促進し、逆止弁機能を含み得る別の例示的な弾性シール７６０が示されている。弾性シール７６０は、第１の端部領域７６１、第２の端部領域７６２、外面７６３、並びに第１及び第２の端部領域７６１、７６２の間の通路７６５を少なくとも部分的に画定する内面７６４を含む。第１の端部領域７６１は、受け部１２０（図１）などの、マスク本体の硬質な構成要素に接続され得る。例示的な一実施形態では、弾性シール７６０は、呼吸用空気源構成要素の外面を少なくとも部分的に包囲する弾性スリーブを提供し、適切な実施形態では弾性シール２６０と同様の特徴を有し得る。
【００６３】
第２の端部領域７６２は、細長い、及び／又は先細り状の端部を含む。通路７６５の断面積は、７６５を画定する内面７６４の対向する部分同士が接触するか、又はほぼ接触するまで、第２の端部領域７６２に向かって狭くなる。いくつかの実施形態では、減少した材料厚さ及び狭い通路が、弾性シール７６０と一体形成された逆止弁機能をもたらす。例えば、第２の端部領域７６２は、ユーザが吸気する時など、空気が弾性シール７６０を通して第１の端部領域７６１から第２の端部領域７６２へ流れる際には、拡大し得る。逆に、第２の端部領域７６２は、第２の端部領域７６２から第１の端部領域７６１へ向かう空気流により、閉鎖又は収縮し得る。一体的な逆止弁機能を有する弾性シールは、別個の逆止弁又はその他の吸気弁構成要素の必要性を低減することによって、呼吸保護装置を単純化し得、追加の構成要素のコスト及び関連する組み立て時間を低減し、重量を低減することによって快適性を改善する。更に、このような弾性シールは呼吸保護装置の全体的設計及び構成における融通性を与えることができる。
【００６４】
第２の端部領域７６２における通路７６５の開口部７６８は、空気が弾性シール７６０を通して流れていない中立構成では、開口部の高さ（ｈ）よりも実質的に大きい幅（ｗ）を有する。様々な例示的な実施形態では、幅（ｗ）は、開口部７６８の高さ（ｈ）よりも１０〜２００倍、２５〜１００倍、又は約４０倍大きい。いくつかの例示的な実施形態では、第２の端部領域７６２は、空気が弾性シール７６０を通して流れていない時には、実質的に閉鎖されている。
【００６５】
図１１〜図１３を参照すると、弾性シール７６０を含む呼吸保護装置７００の部分断面図が示されている。呼吸保護装置７００は、呼吸可能空気領域７１１を画定するマスク本体７１０（その一部は図１１〜図１３において省略されている）を含み、いくつかの実施形態では、上述された呼吸保護装置３００と同様であり得る。呼吸保護装置７００は、ユーザが適合試験を実行し得るよう、弾性シール７６０を締め付けることによって１つ以上の呼吸用空気源構成要素からの空気流が選択的に遮断されることを可能にする弁アセンブリ７７０を含む。
【００６６】
弁アセンブリ７７０は、アクチュエータ７７１、及び１つ以上のシール面７７３を有するプランジャ７７２を含む。アクチュエータ７７１は、ユーザによって、弁アセンブリ７７０を開構成（図１１〜図１２）と閉構成（図１３）との間で運動させるように操作可能である。アクチュエータ７７１は、プランジャ７７２を運動させるよう内向きに押され得る、オーバーモールドされた弾性押しボタン、スライド可能ボタンなどの、ボタンであり得る。例えば、アクチュエータ７７１は、プランジャ７７２を弾性シール７６０に向かって運動させるよう、内向きに押され得る。様々な例示的な実施形態では、アクチュエータ７７１は、弁アセンブリを開構成と閉構成との間で運動させるように操作可能なひねり機構、レバー、スライダ、又は他の適切なアクチュエータ７７１を代替的又は追加的に含み得る。
【００６７】
図１１は、中立構成における呼吸保護装置７００及び弾性シール７６０を示す。弁アセンブリ７７０は開構成になっており、空気が弾性シール７６０を通して流れない間は、弾性シール７６０の開口部７６７は実質的に閉鎖されている。呼吸保護装置７００は、例えば、ユーザの呼吸の合間、又は呼吸保護装置７００がユーザの口及び／又は鼻の上に位置していない時には、中立構成になっていることができる。
【００６８】
図１２を参照すると、第２の端部領域７６２に近接した通路７６５は、第１の端部領域７６１から第２の端部領域７６２へ向かう方向における弾性シール７６０を通した空気流を可能にする。ユーザの吸気、又は呼吸用空気源構成要素から送られた空気によって生じた空気流により、通路７６５、及び特に高さ（ｈ）は第２の端部領域７６２の直近で拡大させられ得る。弾性シール７６０の減少した厚さ及び弾性材料構造が、相対的に低い圧力降下による拡大を促進する。更に、第２の端部領域７６２における通路７６５の細長い、又は非円形の形状が、相対的に低い圧力降下による第２の端部領域７６２の拡大を促進し得る。空気流が止まるか、又は空気流の方向が逆転されると、第２の端部領域７６２はつぶれ、及び／又は中立構成（図１１）へ戻り得る。
【００６９】
図１３を参照すると、弁アセンブリ７７０が閉構成で示されている。シール面７７３は弾性シール７６０の外面７６３と接触し、通路７６５を締め付けているか、又は別の様態でそれを閉鎖している。シール面７７３は、開構成（図１１）と、第２の端部領域７６２をマスク本体７１０の１つ以上の硬質な構成要素に対して締め付けるための閉構成（図１２）との間で直線運動し得る。いくつかの例示的な実施形態では、通路７６５は、対向する内部表面７６４同士が互いに接触することによって、遮断され得る。マスク本体７１０は、第２の端部領域７６２が接して締め付けられ得る表面を提供するための、シール面７７３及び／又は弾性シール７６０と相互作用する１つ以上のリブ又は突出部７１７を含み得る。シール面７７３は同様に、弾性シール７６０との堅牢な係合を増進するための、第２の端部領域７６２上における集中圧力を生み出すフランジ状の端部及び／又は突出部７７３ａを含み得る。
【００７０】
本開示の様々な実施形態に係る呼吸保護装置は以下の利点のうちの１つ以上をもたらし得る。開構成と閉構成との間を操作可能な弁アセンブリは適合試験の容易な実行を促進し、２つ以上の呼吸用空気源構成要素からの空気流を遮断するための単一のアクチュエータの操作を促進し得る。弾性シールとの密封係合は、ユーザによって印加される様々な力及び構成要素の広い寸法公差を含む、種々の条件にわたる一貫した密封係合を促進する。更に、弾性シールは、弁アセンブリの構成要素との密封を促進するための適切な柔軟性をもたらし得、弾性シール、弁アセンブリ、及び／又は呼吸用空気源構成要素の間の相対運動を調整しつつ密封係合を促進する１つ以上の浮動部分を有するように構成され得る。呼吸用空気源構成要素及び弁アセンブリと密封係合し得る弾性シールを有する呼吸保護装置は、構成要素、複雑さ、及び関連製造コストを低減し、その一方で、種々の条件及び環境下における堅牢な密封係合をもたらし、そのため、正確な適合試験がユーザによって容易に実行され得る。
【００７１】
前述の詳細な説明及び実施例は、理解しやすいように示したものにすぎない。不必要な限定がそこから解釈されるべきではない。本開示の範囲から逸脱することなく、記載された実施形態において多くの変更を行うことができることが、当業者には明白であろう。上記の実施形態のいずれかに関して記載されたいずれかの特徴又は特性は、個々に、又は他のいずれかの特徴又は特性と組み合わせて組み込むことができ、単に明確性のために上記の順番及び組み合わせで提示される。それゆえ、本開示の範囲は、本明細書において説明される詳細及び構造のみに限定されるべきではない。更に、特徴は、本明細書において特定の組み合わせで機能するように説明され、及び／又は当初そのように特許請求されることがあるが、特許請求された組み合わせからの１つ以上の特徴は、場合によっては、組み合わせから削除されてもよく、特許請求された組み合わせは、部分的組み合わせ又は部分的組み合わせの変形の対象とされてもよい。
【図１】
2019516429.tif 000003
【図２】
2019516429.tif 000004
【図３】
2019516429.tif 000005
【図４】
2019516429.tif 000006
【図５】
2019516429.tif 000007
【図６】
2019516429.tif 000008
【図７】
2019516429.tif 000009
【図８】
2019516429.tif 000010
【図９】
2019516429.tif 000011
【図１０Ａ】
2019516429.tif 000012
【図１０Ｂ】
2019516429.tif 000013
【図１１】
2019516429.tif 000014
【図１２】
2019516429.tif 000015
【図１３】
2019516429.tif 000016
【国際調査報告】
2019516429.tif 000017